(57)【特許請求の範囲】
【請求項１】
投入されたコインの種別を識別するコイン識別部と、該コイン識別部で識別されたコインを行き先毎に振り分ける複数の振り分け部と、該各振り分け部のうち所定の振り分け部で振り分けられたコインをコイン通路上に一時的に保留する一時保留部とを備え、コイン返却指令があったときは該一時保留部に保留されたコインを返却口に戻し、商品購入指令があっときはこの保留されたコインをコイン収納部に収納する自動販売機等に搭載されたコイン処理装置において、
前記一時保留部は前記所定振り分け部と一体に形成して該所定振り分け部と共用の駆動制御手段を有し、
前記所定振り分け部はその回動軸からコイン通路の上手に向かって延在した回動フラッパにて形成するとともに、前記一時保留部は該回動フラッパの該回動軸から該コイン通路の下手に向かって延長し先端に保留突起を有する回動アームにて形成した
ことを特徴とするコイン処理装置。
【請求項２】
コイン保留されるコイン通路で前記一時保留部の保留突起の上手側には該保留突起と所定間隔をおいて他の一時保留部を設けたことを特徴とする請求項１記載のコイン処理装置。
【請求項３】
前記一時保留部の保留動作を禁止する保留無効手段を有する
ことを特徴とする請求項１又は請求項２記載のコイン処理装置。
【発明の詳細な説明】
【０００１】
【発明の属する技術分野】
本発明は、自動販売機等に内蔵され、投入されたコインを一時保留する構造を備えたコイン処理装置に関するものである。
【０００２】
【従来の技術】
従来、自動販売機に内蔵され、コイン一時保留機能を備えたコイン処理装置として特開平１１−２８８４８０号公報に開示されたものが知られている。
【０００３】
このコイン処理装置において、商品購入のためにコインが投入されたときは、このコインの正偽及びコインの種別をコイン識別装置で識別し、コインが偽貨のときは返却口に戻し、一方、コインが正貨であるときは、コインの種別に対応して振り分け部を駆動し、各コイン通路を通じて各種コインチューブに収納する。ここで、投入されたコインが５００円コインの場合は、５００円のコイン通路に設置された一時保留部で一旦保留し、商品の購入操作（商品選択ボタンの押し操作）が行われたとき、コイン保留を解除し、５００円用のコインチューブに収納する。一方、コインの返却操作（返却レバーの回動操作）が行われたときは、コイン保留を同じく解除し、この５００円コインを返却口に戻す。
【０００４】
このようにコイン返却操作がされたとき、投入された５００円コインをそのまま返却する構造を採用することにより、偽造・変造５００円コイン（正貨と誤判定される偽５００円コイン）を投入して返却操作時にコインチューブから５００円に対応する正貨を受け取るという、犯罪両替行為を防止している。
【０００５】
【発明が解決しようとする課題】
しかしながら、前記従来のコイン処理装置では、コインを行き先毎に振り分ける振り分け部とコインの一時保留部とが別個の駆動制御手段となっているため、一時保留部を設置した分、構造が複雑で、かつ、コストが割高になるという問題点を有している。
【０００６】
また、前記従来のコイン処理装置では、５００円コインが１枚投入された場合は一時保留機能を有効に機能させることができるが、連続して２枚の５００円コインが投入され、商品購入操作が行われる場合は、２枚の保留コインがそのままコインチューブ或いは金庫に収容されてしまう。具体的に説明すれば、５００円コイン２枚（投入価１０００円）を投入し１２０円の缶ジュースの購入操作を行い、次いで返却レバーで返却操作を行う場合は、釣り銭８８０円に対応する、５００円コイン１枚、１００円コイン３枚、５０円コイン１枚、１０円コイン３枚が返却されることになる。しかしこれでは、後側の５００円コインに対して一時保留機能が発揮されていない状態と同じである。
【０００７】
そこで、２枚のコインそれぞれに対して一時保留機能を発揮させるため、両端に突起が形成されたシーソ式の揺動アームをコイン通路に設け、各突起をコイン通路に交互に出没するよう配置した一時保留部が提案されている。
【０００８】
この一時保留部によれば、連続して５００円コインが２枚投入された場合には、揺動アームの下手側の突起で２枚の５００円コインが連なって一時保留される。ここで、前述の具体例と同様に、１２０円の缶ジュースの購入操作を行うときは、揺動アームを揺動して下手側の突起がコイン通路から没して先頭のコインをコイン収納部に収納する一方、上手側の突起がコイン通路から突出して後側の５００円コインを保留する。その後この下手側の突起が再度コイン通路から突出し、上手側の突起がコイン通路から没する。これにより、後側の５００円コインが下手側突起で保留される。ここで、返却レバーで返却操作が行われたときは、揺動アームが再度揺動し、保留コインが返却通路を通じて返却口に返却される。なお、１００円コイン３枚、５０円コイン１枚、１０円コイン３枚は前述と同様にコインチューブから返却口に返却される。
【０００９】
このように、後者の一時保留部によれば、２枚の５００円コインが連続して投入された場合であっても、前後２枚のコインが個別に一時保留され、返却操作の度に個別に返却通路を通じて返却口に返却される。
【００１０】
以上のように一時保留部を設置するときは、犯罪両替行為を防止することができるが、これはあくまでコインの正偽を判定するコイン識別部の精度による。即ち、コイン識別部の精度が向上しコインの正偽を確実に識別できるときは、コインを一時保留するまでもなく投入偽貨を直ちに返却口に返却できるし、また、コイン自体が耐変造・偽造性に優れた材質、構造等であれば、これまたコインの正偽を確実に識別でき、投入偽貨を直ちに返却口に返却できる。
【００１１】
従って、コイン識別部の向上或いはコイン自体の耐変造・偽造性等を念頭におくとき、一時保留部を有するコイン処理装置においても、この一時保留部機能を無効にする保留無効制御手段を設置しておく必要がある。即ち、後者のコイン処理装置に保留無効制御手段を付加した例を掲げて保留無効機能を説明すれば、５００円コインが投入されたとき、この５００円コインが揺動アームの各突起に衝突しないよう揺動させ、この揺動アームを通過した５００円コインをコインチューブに収納すればよい。
【００１２】
しかしながら、後者のコイン処理装置では、この揺動アームの各突起間の距離が５００円コインの径とほぼ一致するよう形成され、また、各突起が交互に出没するよう形成されているため、一時保留を無効にしようとしても、揺動アームを通過するコインは各突起で一時保留されてしまい、５００円コインの硬貨処理が遅くなるという問題点を有していた。
【００１３】
本発明の目的は、前記従来の課題に鑑み、一時保留部の駆動制御手段を所定振り分け部の駆動制御手段と共用にしてコストを削減することができ、また、コインの保留動作を回避させる保留無効制御手段を設置する場合にあっても、コインを迅速に処理できるコイン処理装置を提供することにある。
【００１４】
【課題を解決するための手段】
本発明は前記従来の課題に鑑み、請求項１の発明は、投入されたコインの種別を識別するコイン識別部と、コイン識別部で識別されたコインを行き先毎に振り分ける複数の振り分け部と、各振り分け部のうち所定の振り分け部で振り分けられたコインをコイン通路上に一時的に保留する一時保留部とを備え、コイン返却指令があったときは一時保留部に保留されたコインを返却口に戻し、商品購入指令があっときはこの保留されたコインをコイン収納部に収納する自動販売機等に搭載されたコイン処理装置において、一時保留部は前記所定振り分け部と一体に形成して所定振り分け部と共用の駆動制御手段を有し、所定振り分け部はその回動軸からコイン通路の上手に向かって延在した回動フラッパにて形成するとともに、一時保留部は回動フラッパの回動軸からコイン通路の下手に向かって延長し先端に保留突起を有する回動アームにて形成した構造となっている。
【００１６】
この発明によれば、振り分け部の回動フラッパがコイン通路を開放するよう回転するときは、回動アームの保留突起がコイン通路を遮断するよう回転する。逆に、振り分け部の回動フラッパがコイン通路を閉鎖するよう回転するときは、保留突起がコイン通路の遮断を解除するよう回転する。
【００１７】
請求項２の発明は、請求項１に係るコイン処理装置において、コイン保留されるコイン通路で一時保留部の保留突起の上手側には保留突起と所定間隔をおいて他の一時保留部を設けた構造となっている。この発明によれば、上手側及び下手側の一時保留部により前後２枚のコインを一時保留できる。
【００１８】
請求項３の発明は、請求項１又は２に係るコイン処理装置において、各一時保留部の保留動作を禁止する保留無効手段を有する構造となっている。
【００１９】
ここで、この保留無効制御手段を請求項１に係るコイン処理装置に適用した例を掲げて説明すれば、コインが投入されたときは回動フラッパが開方向（回動アームは通路遮断方向）に回転して回動フラッパの内側のコイン通路内にコインを導入する。この導入時に、回動フラッパを閉方向（回動アームは遮断解除方向）に逆転してコインを回動アームの内側を通過させ、コイン収納部側に導出する。これにより、投入コインが一時保留されることなく、コイン収納部に収納される。
【００２０】
ここで、本発明に係る回動フラッパ及び回動アームがコイン通路に沿って上手側から下手側に沿って配置され、回動フラッパの先端と回動アームの保留突起との間の距離が長くなっているから、コインが回動フラッパや回動アームの保留突起に衝突することなく、迅速に処理できる。
【００２１】
【発明の実施の形態】
図１乃至図１４は本発明に係るコイン処理装置の一実施形態を示すもので、図１はコイン処理装置のコイン識別部及びコイン振り分け部を示す内部構造図、図２はコイン処理装置のコイン振り分け部及びコイン収納部の構造を示す斜視図、図３の(a)(b)は第２振り分け部の動作を示す断面図、図４の(a)(b)は第６振り分け部及び第７振り分け部の動作を示す断面図、図５は第５振り分け部及び第８振り分け部の動作を示す断面図、図６はコイン処理装置の駆動制御回路を示すブロック図、図７はコインの一部保留制御を示すフローチャート、図８の(a)〜(d)はコイン１枚の一時保留動作及び搬出動作を示す概略説明図、図９の(a)〜(c)は１００円コイン投入時における５００円コインの一時保留制御を示す概略説明図、図１０の(a)〜(c)は１０円又は５０円コイン投入時における５００円コインの一時保留制御を示す概略説明図、図１１の(a)〜(e)はコイン２枚の一時保留動作及び搬出動作を示す概略説明図、図１２の(a)〜(d)はコイン２枚の返却動作を示す概略説明図、図１３は保留無効モードの運転制御を示すフローチャート、図１４の(a)〜(c)は保留無効モードの保留禁止制御を示す概略説明図である。
【００２２】
まず、コイン処理装置の概略構成を図１及び図２を参照して説明する。即ち、このコイン処理装置は例えば自動販売機に搭載されており、投入口１から投入されたコイン（１０円コイン、５０円コイン、１００円コイン、５００円コイン）を識別するコイン識別部１０と、コイン識別部１０で識別されたコインを振り分けるコイン振り分け部２０と、コイン振り分け部２０で振り分けられたコインを収納するコイン収納部３０とから構成されており、購入商品に対する金銭処理を行っている。
【００２３】
コイン識別部１０は通常所定周波数の信号を投入コインに発信し、その受信周波数の変化に基づき、正貨、偽貨、更には１０円コイン、５０円コイン、１００円コイン、５００円コインの種別を識別している。
【００２４】
コイン振り分け部２０は、コイン転動の上手側から下手側に向かって、第１〜第８の振り分け部２０１〜２０８を有している。
【００２５】
ここで、第１振り分け部２０１は、回動式の回動フラッパ２０１ａを有し、この回動フラッパ２０１ａをソレノイドＳＣ１で回動する。ソレノイドＳＣ１が非励磁状態（ＯＦＦ）のときは（投入コインが偽貨と判定したとき）は、投入コインが回動フラッパ２０１ａの前面を通り、図示しない返却通路を通じて返却口に返却される。一方、励磁状態（ＯＮ）のときは（投入コインが正貨であると判定したときは）、投入コインを回動フラッパ２０１ａの裏側に通し、第２振り分け部２０２に向かって落下する。このように、第１振り分け部２０１は投入コインの真偽に基づき振り分ける機能を有している。
【００２６】
第２振り分け部２０２は、図３の(a)(b)にも示すように、第１振り分け部２０１で正貨を判定されたコインを１００円コインとそれ以外の１０円コイン、５０円コイン及び５００円コインに振り分けるものである。この第２振り分け部２０２は二股に分岐した前後のガイド２０２ａ，２０２ｂを有し、これをソレノイドＳＣ２でコイン通路Ａから出没させている。このソレノイドＳＣ２が非励磁（ＯＦＦ）のときは、図３の(a)に示すように、１０円コイン、５０円コイン及び５００円コインを後方のガイド２０２ｂに転動させて第３振り分け部２０３に向かって案内する。一方、励磁状態（ＯＮ）のときは図３の(b)に示すように、第２振り分け部２０２を後方に向かって引き、これにより、１００円コインを前方のガイド２０２ａに落下させて第４振り分け部２０４に向かって案内している。なお、１０円コインのコインチューブＣＴ１０や５０円のコインチューブＣＴ５０が満杯の時も前述を同様の操作により第４振り出し部２０４に向かって１０円コイン及び５０円コインを案内する。
【００２７】
第３振り分け部２０３は、第２振り分け部２０２で振り分けられた１０円コイン及び５０円コインと５００円コインに振り分けるものである。この第３振り分け部２０３は回転軸２０３ａから上手側に向かって延在した回動フラッパ２０３ｂを有し、この回動フラッパ２０３ｂの中央寄りの側面ピン２０３ｃにソレノイドＳＣ３を連結し、回動フラッパ２０３ｂを回動する。また、この第３振り分け部２０３の回転軸２０３ａから下手側には第１の一時保留部２１１が形成されている。この一時保留部２１１は回転軸２０３ａからコイン通路Ａの下手側に向かって回動アーム２１１ａが延在されており、この回動アーム２１１ａの先端にはコイン通路Ａに向かって突出した保留突起２１１ｂを有する。
【００２８】
ここで、ソレノイドＳＣ３が非励磁状態（ＯＦＦ）のときは（５００円コインを振り分けるときは）回動フラッパ２０３ｂがコイン通路Ａから離隔しコイン通路Ａを開放する一方、回動アーム２１１ａがコイン通路Ａに向かって回転し保留突起２１１ｂの先端がコイン通路Ａを遮断する。これに対して、ソレノイドＳＣ３が励磁状態（ＯＮ）のときは（１０円及び５０円コインを振り分けるとき）、回動フラッパ２０３ｂがコイン通路Ａに向かって回転しコイン通路Ａを閉鎖する一方、回動アーム２１１ａがコイン通路Ａから離隔するよう回転し、保留突起２１１ｂによるコイン通路Ａの遮断を解除する。
【００２９】
また、このコイン通路Ａで回転軸２０３ａの近傍には、第２の一時保留部２１２がコイン通路Ａから出没自在に設置されている。この第２の一時保留部２１２はソレノイドＳＣ４が非励磁状態（ＯＦＦ）のときはコイン通路Ａから突出してコインの移動を規制し、一方、励磁状態（ＯＮ）のときは、コイン通路Ａから後退してコインがコイン通路Ａを移動できるようにしている。
【００３０】
第４振り分け部２０４は第２振り分け部２０２で振り分けられた１００円コインを振り分けるものである。この第４振り分け部２０４は回動式の回動フラッパ２０４ａを有し、この回動フラッパ２０４ａを前記第２の一時保留部２１２と同様にソレノイドＳＣ４で回動している。ここで、ソレノイドＳＣ４が励磁状態（ＯＮ）のときは（１００円のコインチューブＣＴ１００が満杯のときは）、回動フラッパ２０４ａが金庫通路Ｂ（回動フラッパ２０４ａの裏側）を開放する位置に回動して１００円コインを金庫通路Ｂに導き、図示しない金庫に導入する。一方、非励磁状態（ＯＦＦ）のときは回動フラッパ２０４ａが金庫通路Ｂを閉鎖しており、１００円コインを回動フラッパ２０４ａの表面側に転動させ、下方に向かって落下させる。なお、１０円コインのコインチューブＣＴ１０や５０円のコインチューブＣＴ５０が満杯の時も前述を同様の操作により金庫通路Ｂに向かって１０円コイン及び５０円コインを案内する。
【００３１】
第５振り分け部２０５は、第３振り分け部２０３及び各一時保留部２１１，２１２を通って転動した５００円コインを、返却口（図示しない）に連通する返却通路Ｃとコイン収納部（金庫通路Ｂ及び５００円用のコインチューブＣＴ５００）に振り分けるものである。この第５振り分け部２０５は回動式の回動フラッパ２０５ａを有し、この回動フラッパ２０５ａをソレノイドＳＣ５で回動する。ここで、ソレノイドＳＣ５が非励磁状態（ＯＦＦ）のときは、図２及び図５に示すように、５００円コインを後述する第８振り分け部２０８に導く。一方、励磁状態（ＯＮ）のときは、図５の破線に示すように、回動フラッパ２０５ａが第８振り分け部２０８側への通路を閉鎖するよう回転し、５００円コインを返却通路Ｃを通じて返却口に導く。
【００３２】
第６振り分け部２０６、第７振り分け部２０７及び第８振り分け部２０８は、ソレノイドＳＣ６により制御されるもので、このソレノイドＳＣ６に連結する連結板２０９に一体に形成されている。
【００３３】
まず、第６振り分け部２０６を説明するに、第６振り分け部２０６は、第４振り分け部２０４で振り分けられた１００円コインを１００円用のコインチューブＣＴ１００と空きチューブＣＴ０に振り分けるもので、二股に分岐した前後のガイド２０６ａ，２０６ｂをソレノイドＳＣ６でコイン通路Ａから出没させている。このソレノイドＳＣ６が非励磁（ＯＦＦ）のときは、図４の(a)に示すように、１００円コインを後方のガイド２０６ｂに転動させてコインチューブＣＴ１００に落下・収納する。一方、励磁状態（ＯＮ）のときは、連結板２０９を後方に引き、これにより、１００円コインを前方のガイド２０６ａに落下させて空きコインチューブＣＴ０に落下・収納する。
【００３４】
第７振り分け部２０７は、第３振り分け部２０３で振り分けられた１０円・５０円を１０円用のコインチューブＣＴ１０と５０円用のコインチューブＣＴ５０に振り分けるものである。この第７振り分け部２０７は二股に分岐した前後のガイド２０７ａ，２０７ｂをソレノイドＳＣ６でコイン通路Ａから出没させている。このソレノイドＳＣ６が非励磁（ＯＦＦ）のときは、１０円コインを後方のガイド２０７ｂに落下させてコインチューブＣＴ１０に落下・に収納する。一方、励磁状態（ＯＮ）のときは、連結板２０９を後方に引き、これにより、５０円コインを前方のガイド２０７ａに落下させてコインチューブＣＴ５０に落下・収納する。
【００３５】
第８振り分け部２０８は、５００円コインを金庫通路又はコインチューブＣＴ５００に振り分けるもので、図２に示すように先端に向かって平行に延びる二股の案内隔壁２０８ａ，２０８ｂを有する。また、各案内隔壁２０８ａ，２０８ｂは斜め内側に向かってコイン滑走面を有し、このコイン滑走面にて５００円コインを底面中央の出口２０８ｃに案内している。ここで、ソレノイドＳＣ６が非励磁（ＯＦＦ）のときは、図５の実線で示すように、出口２０８ｃがコインチューブに対向しており、これにより、５００円コインをコインチューブＣＴ５００に導く。一方、励磁状態（ＯＮ）のときは、図５の破線で示すように後方にスライドし、５００円コインを後方の金庫通路Ｂに導く。
【００３６】
このように構成されたコイン処理装置は、図１に示すように、偽貨が投入されたときは、第１振り分け部２０１で振り分けられ返却通路を通じて返却口に返却される。１００円コインが投入されたときは、第１振り分け部２０１、第２振り分け部２０２、第４振り分け部２０４及び第６振り分け部２０６を通じて、金庫通路Ｂ、コインチューブＣＴ１００又は空きコインチューブＣＴ０に振り分けられる。１０円コインが投入されたときは、第１〜第４振り分け部２０１〜２０４及び第７振り分け部２０７を通じて、金庫通路Ｂ、コインチューブＣＴ１０に振り分けられる。５０円コインが投入されたときは、第１〜第４振り分け部２０１〜２０４及び第７振り分け部２０７を通じて、金庫通路Ｂ、コインチューブＣＴ５０に振り分けられる。
【００３７】
以上のような構成は従来のコイン処理装置においても有しており、本実施形態の特徴とするのは、５００円コインが投入時の制御、即ち５００円コインを一時保留する保留モードと、５００円の保留を無効とする保留無効モードを有する点にある。
【００３８】
この本実施形態に係る特徴的構成を図６のブロック図及び図７乃至図１４を参照して説明する。まず、コイン処理装置の各モードの駆動制御回路を図６を参照して説明する。コイン処理装置の制御手段としてマイクロコンピュータ（マイコン）４０を有し、このマイコン４０にタイマ４０ａ及びコインのカウンタ４０ｂ等のソフトが組み込まれている。ここで、タイマ４０ａには各ソレノイドＳＣ１〜ＳＣ６がＯＮとなったときの励磁時間が設定され、また、カウンタ４０ｂは５００円コインの投入枚数等を計数するようになっている。
【００３９】
また、マイコン４０の入力側には、コイン識別部１０、商品を購入する際に押圧する商品選択ボタン４１、５００，１００円，５０円，１０円のコインチューブＣＴ５００，ＣＴ１００，ＣＴ５０，ＣＴ１０に設置されチューブ内のコイン枚数が設定枚数を超えたか否かを検知するオーバーフローセンサ４２，４６，４７，４８、一時保留操作を禁止する一時保留無効スイッチ４３、返却レバー４４がそれぞれ接続されており、コインの正偽・種別、オーバーフロー信号、一時保留無効の信号、返却信号等がマイコンに出力されている。また、マイコン４０はこれらの信号等に基づいてソレノイド駆動回路４５を介して各ソレノイドＳＣ１〜ＳＣ６を駆動制御し、５００円コインの一時保留モード及び保留無効モード運転を行っている。
【００４０】
まず、本実施形態に係るコイン処理装置の保留モード運転を図７のフローチャート及び各動作説明図を参照して説明する。５００円コイン（正貨）が投入されたときは（Ｓ１）、ソレノイドＳＣ１を所定時間励磁する（Ｓ２）。これにより、第１振り分け部２０１の回動フラッパ２０１ａが回動し、図１の破線に示すように、５００円コインが回動フラッパ２０１ａの裏側に導かれる。そして、回動フラッパ２０１ａを通った５００円コインは、図３の(a)に示すように、第２振り分け部２０２の後方のガイド２０２ｂに落下する。そして、ガイド２０２ｂを転動して第３振り分け部２０３側に案内され、図８の(a)に示すように、第２の一時保留部２１２で保留される。
【００４１】
この保留時に、商品購入信号（商品選択ボタン４１で商品が選択されたとき発生する信号）が入力されたか否か（Ｓ３）、返却レバー４４が操作された否か（Ｓ４）、１００円コインが投入されたか否か（Ｓ５）、１０円，５０円コインが投入されたか否か（Ｓ６）、２枚目の５００円コインが投入されたか否か（Ｓ７）、をそれぞれ判定する。
【００４２】
ここで、２枚目の５００円コインが投入されたと判定したときは、ソレノイドＳＣ４を所定時間励磁する(Ｓ８)。これにより、第２の一時保留部２１２が図１１の(b)に示すようにコイン通路Ａから離脱し、図１１の（a）に示す一枚目の５００円コインが第１の一時保留部２１１ｂに向かって転動し保留される一方、２枚目の５００円コインが第３振り分け部２０３の裏側に導入され、この２枚目の５００円コインもまた保留される。従って、図１１の(c)に示すように、５００円コインが２枚保留される。なお、１枚目の５００円コインと２枚目の５００円コインとは、図１の２点鎖線に示すように互いに接触しており、２枚目のコインは１枚目のコインで保留された状態となっている（２枚目のコインは第２の一時保留部２１２とは接触していない）。
【００４３】
以上のように、５００円コインが１枚投入されたときは、図８の(a)に示すように一時保留され、一方、５００円コインが２枚投入されたときは、図１１の(c)に示すように一時保留される。
【００４４】
このような一時保留時に商品購入信号が入力されたときは、まず、投入された５００円コインの枚数が２枚か否かを判定する（Ｓ９）。投入枚数が１枚のときは、ソレノイドＳＣ４を所定時間励磁して（Ｓ１０）、図８の(b)に示すように、第２の一時保留部２１２のコイン保留を解除する。これにより、コインが第１の一時保留部２１１の保留突起２１１ｂに向かって転動する。このソレノイドＳＣ４の励磁に続いてソレノイドＳＣ３を所定時間励磁する（Ｓ１１）。これにより、図８の(c)に示すように、コインは保留突起２１１ｂに保留されることなく、第５振り分け部２０５に向かって転動する。このような一連の動作が完了した後、図８の(d)に示すように第３振り分け部２０３が待機状態に戻る。
【００４５】
一方、５００円コインの投入枚数が２枚のときは、ソレノイドＳＣ３を所定時間励磁する（Ｓ１２）。これにより、図１１の(d)に示すように、先頭の５００円コインが第５振り分け部２０５に向かって転動し、その後、図１１の(e)に示すように、図１１の(a)と同様の５００円１枚保留の状態となる。このように５００円コインの搬出が終了した後、５００円コインの枚数を１枚減算して５００円コインは１枚であると書き換える（Ｓ１３）。
【００４６】
以上のように商品購入信号があったときは、５００円コインの収納場所であるコインチューブＣＴ５００に収納するよう操作するが、ここで、コインチューブＣＴ５００の収納枚数が設定枚数に達しているとき、即ちオーバーフローセンサ４２から５００円コインが満杯である判断したときは（Ｓ１４）、ソレノイドＳＣ６を所定時間励磁する（Ｓ１５）。これにより、図５の破線に示すように第８振り分け部２０８が作動し、５００円コインが金庫通路Ｂを通じて金庫に収納される。一方、未だコインチューブＣＴ５００がオーバーフローしていないときは、５００円コインをコインチューブＣＴ５００に収納する。
【００４７】
なお、図１１の(d)及び図１１の(e)に示すように、５００円コインが１枚搬出された状態、即ち図８の(a)の状態となっているとき、商品購入操作が連続して行われ、購入金額が５００円を超える金額となったときは、ステップ９〜ステップ１１と同様の工程を経て５００円コインが第５振り分け部２０５側に搬出され、そして、コインチューブＣＴ５００又は金庫に収納さることとなる。
【００４８】
次に、コイン保留時に返却レバー４４が操作されたときは（Ｓ４）、まず、投入された５００円コイン（一時保留されている５００円コイン）の枚数が２枚か否かを判定する（Ｓ１６）。投入枚数が１枚のときは、図５の破線に示すように、ソレノイドＳＣ５を励磁して第５振り分け部２０５の回動フラッパ２０５ａを回動させ、返却通路Ｃ側を開放する（Ｓ１７）。その後、ソレノイドＳＣ４、更にはソレノイドＳＣ３が励磁される（Ｓ１８，Ｓ１９）。これにより、第３振り分け部２０３及び各一時係止部２１１，２１２が前述した商品購入時と同様に図８の(a)〜図８の(d)に示すように動作し、５００円コインが返却通路Ｃを通じて返却口に返却される。
【００４９】
一方、５００円コインが２枚保留されているときは、一枚保留時と同様にソレノイドＳＣ５が励磁し、これにより、第５振り分け部２０５が返却通路Ｃ側を開放する（Ｓ２０）。そして、各一時保留部２１１，２１２は図１２の(a)〜(d)に示すように動作する。即ち、まず、図１２の(b)に示すように、ソレノイドＳＣ３を励磁し、第１の一時保留部２１１による先頭の５００円コインの保留が解除される（Ｓ２１）。これにより、先頭の５００円コインが返却通路Ｃを通じて返却口に返却される。次いで、図１２の(c)に示すように、ソレノイドＳＣ４が励磁し、第２の一時保留部２１２で保留されていた後方の５００円コインの保留が解除される（Ｓ２２）。これにより、後方の５００円コインが同じく返却通路Ｃを通じて返却口に返却される。
【００５０】
続いて、コイン保留時にステップ５の１００円コインが投入された場合の動作を図９を参照して説明する。１００円コインが投入されたときは、未だコインチューブＣＴ１００が満杯となっていないときは、通常の１００円導入処理が行われ、１００円コインがコインチューブＣＴ１００に導入される（Ｓ２３，Ｓ２４）。一方、コインチューブＣＴ１００が満杯となっているときは、金庫導入処理、ソレノイドＳＣ４が所定時間励磁される（Ｓ２５）。これにより、第２の一時保留部２１２で保留されている５００円コインが（図９の(a)）、図９の(b)に示すように、その保留が解除され、５００円コインが第１の一時保留部２１１の保留突起２１１ｂに向かって転動し、この保留突起２１１ｂに保留されることとなる（図９の(c)）。従って、コインチューブＣＴ１００の満杯時に１００円コインが投入された場合にあっても、５００円コインの保留に支障を来すことなく、前述した金庫導入処理が行われる。
【００５１】
なお、図９では５００円コインを１枚保留しているときの例を示しているが、５００円コインを２枚保留した状態で、コインチューブＣＴ１００の満杯時に１００円コインを投入するときは、まさに図１２の(a)(b)に示すように、第２の一時保留部２１２が単に往復動するだけであり（コイン２枚保留しているときは、前述したように、２枚目のコインが第２の一時保留部２１２に接触していない）、これまた、１００円コインの導入に支障がない。
【００５２】
続いて、コイン保留時にステップ６の１０円コイン又は５０円コインが投入された場合の動作を図１０も参照して説明する。図１０の(a)に示すコイン保留時に１０円コイン又は５０円コインが投入されたときは、５００円コインが２枚保留状態となっているか否か（Ｓ２６）、コインチューブＣＴ１０，ＣＴ５０が満杯となっているか否か（Ｓ２７）、前述のステップ２５の如き金庫導入処理が既にあったか否か（Ｓ２８）をそれぞれ判定する。これらのステップ２６，２７，２８の何れの条件も満足していないときは、ソレノイドＳＣ３を励磁する（Ｓ２９）。これにより、図１０の(b)に示すように、第３振り分け部２０３の回動フラッパ２０３ｂの裏側のコイン通路Ａが閉鎖され、１０円コインや５０円コインがそれぞれ各コインチューブＣＴ１０，５０に導入される（１０円,５０円導入処理）（Ｓ３０）。１０円コインや５０円コインの導入が終了したときは、図１０の(c)に示すように、元の５００円コインの保留待機状態に復帰する。従って、コイン１枚保留時において、１０円コインや５０円コインの導入処理に支障となることがない。
【００５３】
一方、ステップ２６，２７，２８の何れかの条件を満足するときは金庫導入処理を行う（Ｓ３１）、例えば５００円コインが２枚保留状態となっているとき、即ち図１１の(c)に示す状態となっているときは、１０円コインや５０円コインを第１振り分け部２０１、第２振り分け部２０２及び第４振り分け部２０４を介して金庫通路Ｂに導く（Ｓ２８）。また、コイン１枚保留状態でコインチューブＣＴ１０，ＣＴ５０が満杯となっているとき、また、既に金庫導入処理が行われ図９の(c)のように第１の一時保留部２１１の保留突起２１１ｂに係止されているときは、同じくステップ３１の金庫導入処理を行う。
【００５４】
以上のステップ２６，２８でこの条件を満足する場合は、第１の一時保留部２１１で５００円コインを保留している状態であり、第１の一時保留部２１１を保留解除動作させると、未だ商品購入信号が入力される前に、また、未だ返却信号が入力される前に、先頭の５００円コインが保留解除されるという不都合がある。従って、金庫導入処理するようにしている。
【００５５】
なお、前記２者の場合は１０円及び５０円コインがコインチューブＣＴ１０，５０に収納されないが、５００円コインを投入した後に１０円及び５０円コインを投入しなければならない状況がさほどないことを考慮すれば、実質上不都合はない。
【００５６】
以上、本実施形態に係るコイン処理装置の一時保留モードを説明したが、次に、一時保留無効スイッチ４３をオンした場合を（保留無効モード運転を）、図１３のフローチャート及び図１４の動作説明図を参照して説明する。
【００５７】
ここで、一時保留無効スイッチ４３とは５００円コインの一時保留を禁止するスイッチである。まず、５００円コインが投入されたか否かをコイン識別部１０で判定する（Ｓ１０１）。ここで、５００円コイン（正貨）が投入されたと判定したときは、ソレノイドＳＣ１を所定時間励磁し（Ｓ１０２）、図１４の(a)に示すように、コインを第３振り分け部２０３の裏側に向かって転動させる。ここで、ソレノイドＳＣ４及びソレノイドＳＣ３に順次励磁する（Ｓ１０３，Ｓ１０４）。これにより、図１４の(b)(c)に示すように、コインが第２の一時保留部２１２及び第１の一時保留部２１１に保留されることなく、第５振り分け部２０５側に向かって転動する。ここで、コインチューブＣＴ５００の収納枚数が設定枚数に達しているときは（Ｓ１０５）、ソレノイドＳＣ６を所定時間励磁する（Ｓ１０６）。これにより、図５の破線に示すように第８振り分け部２０８が作動し、５００円コインが金庫通路Ｂを通じて金庫に収納される。一方、未だコインチューブＣＴ５００がオーバーフローしていないときは、５００円コインをコインチューブＣＴ５００に収納する。
【００５８】
以上説明したように、本実施形態に係るコイン処理装置によれば、第１の一時保留部２１１は第３振り分け部２０３の駆動制御手段（ソレノイドＳＣ３）を共用しており、また、第２の一時保留部２１２は第４振り分け部２０４の駆動制御手段（ソレノイドＳＣ４）を共用しており、部品点数を極力少なくしている。
【００５９】
また、第３振り分け部２０３の回動フラッパ２０３ｂ及び第１の一時保留部２１１の回動アーム２１１ａがコイン通路Ａに沿って上手側から下手側に沿って配置され、回動フラッパ２０３ｂの先端と回動アーム２１１ａの保留突起２１１ｂとの間の距離が長くなっているから、回動フラッパ２０３ｂの先端から保留突起２１１ｂに至るコインの転動時間を長くとることができる。
【００６０】
従って、保留無効モード運転時において、コイン保留を無効にするために回動フラッパ２０３ｂ及び回動アーム２１１ａを往復動するとき、５００円コインが回動フラッパ２０３ｂや保留突起２１１ｂに衝突することなく、５００円コインを迅速に処理できる。
【００６１】
【発明の効果】
以上説明したように、本発明によれば、一時保留部が振り分け部と一体に形成して振り分け部と共用の駆動制御手段を有する構造となってため、一時保留部の駆動制御手段を別個に設けることを要せず、コストを割安にできる。
【００６２】
また、保留無効モード運転時において、コイン保留を無効にするために回動フラッパ及び回動アームの往復動するとき、コインが回動フラッパや保留突起に衝突することなく、コインを迅速に処理できる。
【図面の簡単な説明】
【図１】コイン処理装置のコイン識別部及びコイン振り分け部を示す内部構造図
【図２】コイン処理装置のコイン振り分け部及びコイン収納部の構造を示す斜視図
【図３】第２振り分け部の動作を示す断面図
【図４】第６振り分け部及び第７振り分け部の動作を示す断面図
【図５】第５振り分け部及び第８振り分け部の動作を示す断面図
【図６】コイン処理装置の駆動制御回路を示すブロック図
【図７】コインの一時保留制御を示すフローチャート
【図８】コイン１枚の一時保留動作及び搬出動作を示す概略説明図
【図９】１００円コイン投入時における５００円コインの一時保留制御を示す概略説明図
【図１０】１０円又は５０円コイン投入時における５００円コインの一時保留制御を示す概略説明図
【図１１】コイン２枚の一時保留動作及び搬出動作を示す概略説明図
【図１２】コイン２枚の返却動作を示す概略説明図
【図１３】保留無効モードの運転制御を示すフローチャート
【図１４】保留無効モードの保留禁止制御を示す概略説明図
【符号の説明】
１０…コイン識別部、２０…コイン振り分け部、３０…コイン収納部、２０１〜２０８…各振り分け部、２１１…第１の一時保留部、２１２…第２の一時保留部、ＳＣ１〜ＳＣ６…ソレノイド。
【図１】
0004526156.tif 000002
【図２】
0004526156.tif 000003
【図３】
0004526156.tif 000004
【図４】
0004526156.tif 000005
【図５】
0004526156.tif 000006
【図６】
0004526156.tif 000007
【図７】
0004526156.tif 000008
【図８】
0004526156.tif 000009
【図９】
0004526156.tif 000010
【図１０】
0004526156.tif 000011
【図１１】
0004526156.tif 000012
【図１２】
0004526156.tif 000013
【図１３】
0004526156.tif 000014
【図１４】
0004526156.tif 000015